【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のネットワークオペレーティングエンティティによって共有される共有無線周波数スペクトル帯域内のフレームを識別するステップと、
ネットワークオペレーティングエンティティによる専用使用のために前記フレーム内の第1の複数のサブ間隔を識別するステップと、
前記ネットワークオペレーティングエンティティによる優先使用のために前記フレーム内の第2の複数のサブ間隔を識別するステップであって、優先される前記ネットワークオペレーティングエンティティがリソースを使用しない場合、前記優先使用のためのサブ間隔は日和見ベースで1つまたは複数の他のネットワークオペレーティングエンティティにより再利用できる、ステップと、
前記ネットワークオペレーティングエンティティによる日和見的使用のために前記フレーム内の第3の複数のサブ間隔を識別するステップであって、前記日和見的使用は媒体検知手順に基づく、ステップと、
前記識別されたサブ間隔のうちの1つを使用して、前記ネットワークオペレーティングエンティティに関連付けられるワイヤレスノードと通信するステップと
を含む、方法。
【請求項２】
前記第1の複数のサブ間隔のうちの少なくとも1つの間に前記ワイヤレスノードと制御情報を通信するステップをさらに含み、
前記制御情報が、同期情報、システム情報、ページング情報、ランダムアクセス情報、またはそれらの組合せを含む、請求項1に記載の方法。
【請求項３】
前記第2の複数のサブ間隔のうちの少なくとも1つの間に前記ワイヤレスノードとデータを通信するステップ
をさらに含む、請求項1に記載の方法。
【請求項４】
前記第2の複数のサブ間隔のうちの前記少なくとも1つの間に前記ワイヤレスノードと制御情報、ページング情報、または両方を通信するステップ
をさらに含む、請求項1に記載の方法。
【請求項５】
前記フレーム内の少なくとも前記第1の複数のサブ間隔、前記第2の複数のサブ間隔、または前記第3の複数のサブ間隔のロケーションが、ネットワークオペレーティングエンティティコーディネータによって判定され、
前記ネットワークオペレーティングエンティティコーディネータがスペクトルアクセスシステム(SAS)を含む、請求項1に記載の方法。
【請求項６】
前記フレーム内の少なくとも前記第1の複数のサブ間隔、前記第2の複数のサブ間隔、または前記第3の複数のサブ間隔のロケーションが、前記複数のネットワークオペレーティングエンティティの数に少なくとも部分的に基づいて自律的に判定される、請求項1に記載の方法。
【請求項７】
前記方法が、前記第3の複数のサブ間隔のうちの少なくとも1つの間に他のネットワークオペレーティングエンティティからの通信を測定するステップをさらに含み、
(i)前記方法が、
前記測定に少なくとも部分的に基づいて、前記第3の複数のサブ間隔のうちの前記少なくとも1つの間に前記他のネットワークオペレーティングエンティティからの通信の不在を判定するステップと、
前記判定に少なくとも部分的に基づいて、前記第3の複数のサブ間隔のうちの前記少なくとも1つの間にデータを通信するステップと
をさらに含む、または、
(ii)前記方法が、
前記測定に少なくとも部分的に基づいて、前記第3の複数のサブ間隔のうちの前記少なくとも1つの間に前記他のネットワークオペレーティングエンティティからの通信の存在を判定するステップと、
前記判定に少なくとも部分的に基づいて、前記第3の複数のサブ間隔のうちの前記少なくとも1つの間にデータを通信することを控えるステップと
をさらに含む、または、
(iii)通信を測定する前記ステップがリッスンビフォアトーク(LBT)手順を含む、
請求項1に記載の方法。
【請求項８】
前記第3の複数のサブ間隔のうちの少なくとも1つの間により高い優先度のネットワークオペレーティングエンティティからのシグナリングを識別するステップであって、前記シグナリングが、前記第3の複数のサブ間隔のうちの前記少なくとも1つの間に前記より高い優先度のネットワークオペレーティングエンティティが通信しないことになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するステップと、
前記シグナリングに少なくとも部分的に基づいて、前記第3の複数のサブ間隔のうちの前記少なくとも1つの間にデータを通信するステップと
をさらに含む、請求項1に記載の方法。
【請求項９】
前記第3の複数のサブ間隔のうちの少なくとも1つの間により高い優先度のネットワークオペレーティングエンティティからのシグナリングを識別するステップであって、前記シグナリングが、前記第3の複数のサブ間隔のうちの前記少なくとも1つの間に前記より高い優先度のネットワークオペレーティングエンティティが通信することになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するステップと、
前記シグナリングに少なくとも部分的に基づいて、前記第3の複数のサブ間隔のうちの前記少なくとも1つの間にデータを通信することを控えるステップと
をさらに含む、請求項1に記載の方法。
【請求項１０】
前記方法が、前記第2の複数のサブ間隔のうちの前記少なくとも1つの間に前記ワイヤレスノードとの通信が生じることになることをより低い優先度のネットワークオペレーティングエンティティに指示するステップであって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するステップをさらに含む、または、
前記方法が、前記第2の複数のサブ間隔のうちの少なくとも1つの間に前記ワイヤレスノードとの通信が生じないことになることをより低い優先度のネットワークオペレーティングエンティティに指示するステップであって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するステップをさらに含む、または、
前記方法が、
別のネットワークオペレーティングエンティティに関連付けられる追加のワイヤレスノードから同期情報を受信するステップと、
前記同期情報に少なくとも部分的に基づいて前記ワイヤレスノードと通信するステップと
をさらに含む、または、
前記方法が、多地点協調通信を使用して前記ワイヤレスノードと通信するステップ
をさらに含む、請求項1に記載の方法。
【請求項１１】
ワイヤレス通信のための装置であって、
複数のネットワークオペレーティングエンティティによって共有される共有無線周波数スペクトル帯域内のフレームを識別するための手段と、
ネットワークオペレーティングエンティティによる専用使用のために前記フレーム内の第1の複数のサブ間隔を識別するための手段と、
前記ネットワークオペレーティングエンティティによる優先使用のために前記フレーム内の第2の複数のサブ間隔を識別するための手段であって、優先される前記ネットワークオペレーティングエンティティがリソースを使用しない場合、前記優先使用のためのサブ間隔は、日和見ベースで1つまたは複数の他のネットワークオペレーティングエンティティにより再利用できる、手段と、
前記ネットワークオペレーティングエンティティによる日和見的使用のために前記フレーム内の第3の複数のサブ間隔を識別するための手段であって、前記日和見的使用は媒体検知手順に基づく、手段と、
前記識別されたサブ間隔のうちの1つを使用して、前記ネットワークオペレーティングエンティティに関連付けられるワイヤレスノードと通信させる手段と
を備える装置。
【請求項１２】
前記第1の複数のサブ間隔のうちの少なくとも1つの間に前記ワイヤレスノードと制御情報を通信するための手段をさらに含む、または、
前記第2の複数のサブ間隔のうちの少なくとも1つの間に前記ワイヤレスノードとデータを通信するための手段をさらに含む、請求項11に記載の装置。
【請求項１３】
前記装置が、前記第3の複数のサブ間隔のうちの少なくとも1つの間に他のネットワークオペレーティングエンティティからの通信を測定するための手段をさらに含み、
(i)前記装置が、
前記測定に少なくとも部分的に基づいて、前記第3の複数のサブ間隔のうちの前記少なくとも1つの間に前記他のネットワークオペレーティングエンティティからの通信の不在を判定するための手段と、
前記判定に少なくとも部分的に基づいて、前記第3の複数のサブ間隔のうちの前記少なくとも1つの間にデータを通信するための手段と
をさらに含む、
または、
(ii)前記装置が、
前記測定に少なくとも部分的に基づいて、前記第3の複数のサブ間隔のうちの前記少なくとも1つの間に前記他のネットワークオペレーティングエンティティからの通信の存在を判定するための手段と、
前記判定に少なくとも部分的に基づいて、前記第3の複数のサブ間隔のうちの前記少なくとも1つの間にデータを通信することを控えるための手段と
をさらに含む、
請求項11に記載の装置。
【請求項１４】
前記装置が、
前記第3の複数のサブ間隔のうちの少なくとも1つの間により高い優先度のネットワークオペレーティングエンティティからのシグナリングを識別するための手段であって、前記シグナリングが、前記第3の複数のサブ間隔のうちの前記少なくとも1つの間に前記より高い優先度のネットワークオペレーティングエンティティが通信しないことになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するための手段と、
前記シグナリングに少なくとも部分的に基づいて、前記第3の複数のサブ間隔のうちの前記少なくとも1つの間にデータを通信するための手段と
をさらに含む、または、
前記装置が、
前記第3の複数のサブ間隔のうちの少なくとも1つの間により高い優先度のネットワークオペレーティングエンティティからのシグナリングを識別するための手段であって、前記シグナリングが、前記第3の複数のサブ間隔のうちの前記少なくとも1つの間に前記より高い優先度のネットワークオペレーティングエンティティが通信することになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するための手段と、
前記シグナリングに少なくとも部分的に基づいて、前記第3の複数のサブ間隔のうちの前記少なくとも1つの間にデータを通信することを控えるための手段と
をさらに含む、または、
前記装置が、
前記第2の複数のサブ間隔のうちの前記少なくとも1つの間に前記ワイヤレスノードとの通信が生じることになることをより低い優先度のネットワークオペレーティングエンティティに指示するための手段であって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するための手段
をさらに含む、または、
前記装置が、
前記第2の複数のサブ間隔のうちの少なくとも1つの間に前記ワイヤレスノードとの通信が生じないことになることをより低い優先度のネットワークオペレーティングエンティティに指示するための手段であって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するための手段
をさらに含む、請求項11に記載の装置。
【請求項１５】
コンピュータ上で実行されたときに、請求項1から10のいずれか一項に記載の方法を前記コンピュータに行わせるコードを含むコンピュータプログラム。